(57)【要約】【課題】ミラー配置を効率的に行えるとともに、サイズを小型化することができる走査光学ユニット、画像読取装置、画像形成装置を提供すること。【解決手段】一体型走査光学ユニット３０１は、イメージセンサ４０４が、原稿面に対して垂直方向に延在する姿勢で副走査方向一端側に配置された基板４０５に実装され、照明ユニット４０１ａ、４０１ｂのうち照明ユニット４０１ａを、基板４０５の略同一平面上方に配置し、原稿４０６を読み取る読取位置Ａに垂直な読取光軸を、副走査方向中央より一端側に寄せて配置し、読取光軸を挟んだ副走査方向の両側から照明ユニット４０１ａ、４０１ｂにより原稿４０６を照射する。【選択図】図４
2014103700.tif 000002
【特許請求の範囲】
【請求項１】
原稿を照射するための２灯以上の照明ユニットと、
前記原稿からの反射光を読み取るイメージセンサと、
前記原稿からの反射光を順次反射させて前記イメージセンサに導く複数のミラーと、
前記反射光を結像させるレンズと、
前記照明ユニット、前記イメージセンサ、前記複数のミラーおよび前記レンズを保持して副走査方向に一体的に移動可能なキャリッジケースとを備えた走査光学ユニットにおいて、
前記イメージセンサが、原稿面に対して垂直方向に延在する姿勢で副走査方向一端側に配置された基板に実装され、
前記２灯以上の照明ユニットのうち１つの照明ユニットを、前記基板の端部近傍に配置し、
前記原稿を読み取る読取位置に垂直な読取光軸を、前記走査光学ユニットの副走査方向
中央より前記基板側に寄せて配置し、
前記読取光軸を挟んだ副走査方向の両側から前記２灯以上の照明ユニットにより前記原稿を照射することを特徴とする走査光学ユニット。
【請求項２】
前記２灯以上の照明ユニットが、前記読取光軸に対して副走査方向において非対称に配置されたことを特徴とする請求項１に記載の走査光学ユニット。
【請求項３】
前記１つの照明ユニットの照射方向が、鉛直上方または鉛直上方から所定角度だけ前記読取位置側に傾斜した方向であることを特徴とする請求項１または請求項２に記載の走査光学ユニット。
【請求項４】
前記１つの照明ユニットの照射方向が水平方向であり、
前記キャリッジケースにおける前記１つの照明ユニットの照射方向に位置する箇所に、照射光を前記読取位置に反射させて導く湾曲形状の反射部を形成したことを特徴とする請求項１または請求項２に記載の走査光学ユニット。
【請求項５】
前記１つの照明ユニットと他の照明ユニットとの間で、照射光を前記読取位置に導く導光部材の有無または種類が異なることを特徴とする請求項１乃至請求項４の何れかに記載の走査光学ユニット。
【請求項６】
前記１つの照明ユニットと他の照明ユニットとの間で、照射光の照度が異なることを特徴とする請求項１乃至請求項５の何れかに記載の走査光学ユニット。
【請求項７】
前記１つの照明ユニットが面発光の光源を有することを特徴とする請求項１乃至請求項６の何れかに記載の走査光学ユニット。
【請求項８】
請求項１乃至請求項７の何れかに記載の走査光学ユニットと、
前記走査光学ユニットと前記原稿とを副走査方向に相対的に移動する移動手段と、を備えたことを特徴とする画像読取装置。
【請求項９】
請求項８に記載の画像読取装置と、
前記画像読取装置で読み取った画像情報に基づいて記録媒体上に画像を形成する画像形成手段と、を備えたことを特徴とする画像形成装置。
【発明の詳細な説明】
【技術分野】
【０００１】
本発明は、照明ユニット、ミラー、結像用のレンズなどの光学系や、ＣＣＤなどのイメージセンサをキャリッジケースに収容した走査光学ユニット、およびこの走査光学ユニットを搭載する画像読取装置、画像形成装置に関する。
【背景技術】
【０００２】
従来、装置の小型化のため、照明ユニット、ミラー、結像用のレンズなどの光学系や、ＣＣＤなどのイメージセンサをキャリッジケースに収容した一体型走査光学ユニットを、原稿面に沿って走査させて２次元画像を読み取る画像読取装置においては、照明ユニットを２灯以上設け、これら２灯以上の照明ユニットを読取位置や読取光軸を挟んで対向するように配置することにより、光量を増加させるようにした技術が知られている（例えば、特許文献１参照）。
【０００３】
具体的には、特許文献１の一体型走査光学ユニットにおいては、原稿を照射する２つの照明ユニットと、原稿からの反射光をイメージセンサに導く複数のミラーと、複数のミラーにより導かれた反射光を結像するレンズと、をキャリッジケース（筺体）に備え、イメージセンサがキャリッジケースの底部に配置されている。また、読取位置およびこの読取位置に垂直な軸である読取光軸は、一体型走査光学ユニットの副走査方向中央部に配置されている。
【発明の概要】
【発明が解決しようとする課題】
【０００４】
しかしながら、特許文献１に記載された技術では、照明ユニットが副走査方向に一定の幅を有するため、読取位置および読取光軸がキャリッジケースの副走査方向中央に配置されており、このため、キャリッジケース内における複数のミラーの配置が制限されてしまうという問題、および照明ユニットの高さにより一体型走査光学ユニット全体のサイズ（幅方向および高さ方向）が大きくなってしまうという問題があった。
【０００５】
本発明はこのような問題を解決するためになされたもので、照明ユニットを２灯以上備えた構成において、ミラー配置を効率的に行えるとともに、サイズを小型化することができる走査光学ユニット、画像読取装置、画像形成装置を提供するものである。
【課題を解決するための手段】
【０００６】
本発明に係る走査光学ユニットは、原稿を照射するための２灯以上の照明ユニットと、前記原稿からの反射光を読み取るイメージセンサと、前記原稿からの反射光を順次反射させて前記イメージセンサに導く複数のミラーと、前記反射光を結像させるレンズと、前記照明ユニット、前記イメージセンサ、前記複数のミラーおよび前記レンズを保持して副走査方向に一体的に移動可能なキャリッジケースとを備えた走査光学ユニットにおいて、前記イメージセンサが、原稿面に対して垂直方向に延在する姿勢で副走査方向一端側に配置された基板に実装され、前記２灯以上の照明ユニットのうち１つの照明ユニットを、前記基板の端部近傍に配置し、前記原稿を読み取る読取位置に垂直な読取光軸を、前記走査光学ユニットの副走査方向中央より前記基板側に寄せて配置し、前記読取光軸を挟んだ副走査方向の両側から前記２灯以上の照明ユニットにより前記原稿を照射することを特徴とする。
【発明の効果】
【０００７】
本発明によれば、従来はキャリッジケースの副走査方向中央部に配置されていた読取位置を副走査方向端部に配備することが可能となるため、ミラーの配置を効率的に行うことができる。また、読取位置を副走査方向端部に配備することにより生じた空間を利用してミラー等を配置することにより、キャリッジケースのサイズを小型化することができる。
【０００８】
したがって、ミラー配置を効率的に行えるとともに、サイズを小型化することができる走査光学ユニット、画像読取装置、画像形成装置を提供することができる。
【図面の簡単な説明】
【０００９】
【図１】本発明の第１の実施の形態に係る画像形成装置の概略構成を示す断面図である。
【図２】本発明の第１の実施の形態に係る画像読取装置の外観を示す斜視図である。
【図３】本発明の第１の実施の形態に係る画像読取装置の内部構成を示す斜視図である。
【図４】本発明の第１の実施の形態に係る一体型走査光学ユニットの構成を示す断面図である。
【図５】本発明の第２の実施の形態に係る一体型走査光学ユニットの構成を示す断面図である。
【図６】本発明の第３の実施の形態に係る一体型走査光学ユニットの構成を示す断面図である。
【発明を実施するための形態】
【００１０】
以下、本発明の実施の形態について、図面を参照して説明する。
【００１１】
（第１の実施の形態）
まず、図１〜図６を参照して第１の実施の形態の構成について説明する。
【００１２】
図１に示すように、画像形成装置１００は、画像形成部１０１と、用紙供給装置４０と、原稿搬送読取ユニット１０４とを備えている。原稿搬送読取ユニット１０４は、画像形成部１０１の上に固定された画像読取部１０２と、これに支持される原稿搬送装置としてのＡＤＦ１０３とを有している。
【００１３】
用紙供給装置４０は、ペーパーバンク４１内に多段に配設された２つの給紙カセット４２、給紙カセット４２から記録媒体としての用紙を送り出す送出ローラ４３、送り出された用紙を分離して給紙路４４に供給する分離ローラ４５等を有している。また、画像形成装置１００の給紙路３７に用紙を搬送する複数の搬送ローラ４６等も有している。そして、給紙カセット４２内の用紙を画像形成装置１００内の給紙路３７内に給紙するようになっている。
【００１４】
画像形成部１０１は、光書込装置２や、Ｋ、Ｙ、Ｍ、Ｃ色のトナー像を形成する４つのプロセスユニット３Ｋ、３Ｙ、３Ｍ、３Ｃ、中間転写ベルト２５を有する転写ユニット２４、紙搬送ユニット２８、レジストローラ対３３、定着装置３４、排紙ローラ対３５、スイッチバック装置３６、給紙路３７等を備えている。
【００１５】
そして、光書込装置２内に配設された図示しないレーザーダイオードやＬＥＤ等の光源を駆動して、プロセスユニット３Ｋ、３Ｙ、３Ｍ、３Ｃの感光体４Ｋ、４Ｙ、４Ｍ、４Ｃに向けてレーザー光Ｌを照射する。
【００１６】
このレーザー光の照射により、ドラム状の感光体４Ｋ、４Ｙ、４Ｍ、４Ｃの表面には静電潜像が形成され、この静電潜像は所定の現像プロセスを経由してトナー像に現像される。なお、符号の後に付されたＫ、Ｙ、Ｍ、Ｃという添字は、ブラック、イエロー、マゼンタ、シアン用の仕様であることを示している。
【００１７】
上記構成の画像形成装置１００において、各感光体４Ｋ、４Ｙ、４Ｍ、４Ｃの表面に形成されたトナー像は、図中時計回り方向に無端移動する中間転写ベルト２５に順次重ね合わせて１次転写される。
【００１８】
この１次転写により、中間転写ベルト２５には４色重ね合わせのカラートナー像が形成される。また、用紙供給装置４０から供給された用紙が、レジストローラ対３３により所定のタイミングで、紙搬送ユニット２８と中間転写ベルト２５との間で形成された２次転写ニップに送り出され、中間転写ベルト２５上のカラートナー像が用紙に一括２次転写される。
【００１９】
２次転写ニップを通過した用紙は、中間転写ベルト２５から離間して定着装置３４へ搬送される。定着装置３４に搬送された用紙は、定着装置３４内における加圧や加熱によってフルカラー画像が定着された後、定着装置３４から排紙ローラ対３５に送られた後、機外へと排出される。なお、画像形成部１０１は、図１に示すような電子写真方式の構成に限定されるものではなく、インクジェット記録方式等の構成であってもよい。
【００２０】
画像形成部１０１の上に配置された画像読取部１０２は、原稿４０６に光を照射して反射光を読み取る一体型走査光学ユニット３０１を備えている。一体型走査光学ユニット３０１は、原稿４０６に接触するように画像読取部１０２のスキャナカバー部２０１（図２参照）に固定されたコンタクトガラス２０３の直下に副走査方向（図の左右方向）に移動可能に配設されている。
【００２１】
一体型走査光学ユニット３０１は、光源、反射ミラー、イメージセンサを１つのユニットに一体化したものであり、ＡＤＦ１０３によって搬送される原稿４０６の画像を読み取る場合には、図中Ａの位置に移動して停止した状態で、ＡＤＦ１０３によって搬送される原稿４０６がコンタクトガラス２０３上を通過する際に光源から発した光を原稿面で順次反射させながら、複数の反射ミラーを経由させて撮像手段としてのＣＣＤで原稿４０６の画像を読み取る。
【００２２】
一方、コンタクトガラス２０３上に載置された原稿４０６の画像を読み取る場合には、一体型走査光学ユニット３０１は、図中Ａの位置から右側に移動しながら、光源から発した光をコンタクトガラス２０３上に載置された原稿４０６で反射させ、複数の反射ミラーや結像用のレンズなどを経由させて撮像手段としてのＣＣＤで原稿４０６の画像を読み取る。
【００２３】
すなわち、原稿搬送読取ユニット１０４においては、停止している一体型走査光学ユニット３０１に対してＡＤＦ１０３によって原稿４０６を搬送する方法、または、コンタクトガラス２０３上で停止している原稿４０６に対して一体型走査光学ユニット３０１を移動する方法の何れかにより、一体型走査光学ユニット３０１と原稿４０６とを副走査方向に相対的に移動して原稿４０６の読み取りが行われるようになっている。
【００２４】
図２、図３に示すように、画像読取部１０２は、スキャナカバー部２０１と、画像読取部１０２の側面および下面を構成する筺体としてのスキャナフレーム部２０２と、を備えている。
【００２５】
スキャナカバー部２０１は、画像読取部１０２の上面を構成するものであり、原稿を載置するコンタクトガラス２０３を備えている。画像読取部１０２の内部には、一体型走査光学ユニット３０１と、この一体型走査光学ユニット３０１を副走査方向に移動するためのガイドロッド３０２およびレール３０３が設けられている。一体型走査光学ユニット３０１の内部には、図示しない照明、レンズ、ＣＣＤ、ミラーが保持されている。
【００２６】
以下、本発明の要部である一体型走査光学ユニット３０１の詳細について説明する。
【００２７】
図４に示すように、一体型走査光学ユニット３０１は、原稿４０６を照射する照明ユニット４０１ａ、４０１ｂと、原稿４０６からの反射光をイメージセンサ４０４に導くミラー４０２ａ〜４０２ｅと、反射光を結像するレンズ４０３と、これら照明ユニット４０１ａ、４０１ｂ、ミラー４０２ａ〜４０２ｅおよびレンズ４０３を保持して収容する筺体としてのキャリッジケース４０７と、を備えている。
【００２８】
また、一体型走査光学ユニット３０１は、レンズ４０３により結像された光を読み取るイメージセンサ４０４を備えている。このイメージセンサ４０４は、例えば、ＣＣＤ（Ｃｈａｒｇｅ  Ｃｏｕｐｌｅｄ  Ｄｅｖｉｃｅ）から構成されており、基板４０５に実装されるとともに板金４０８を介してキャリッジケース４０７の側面部外側に配置されている。
【００２９】
基板４０５は、鉛直方向に延在する姿勢、すなわち原稿面に対して垂直となる姿勢で配置されており、その下端近傍にイメージセンサ４０４を実装している。
【００３０】
第１のミラー４０２ａは、原稿４０６からの反射光を最初に受けて反射するものであり、読取位置Ａから垂下した位置に配置されている。読取位置Ａと第１のミラー４０２ａとを結ぶ反射光の光路を以下「読取光軸」ともいう。
【００３１】
また、本実施の形態では、後述するように、読取光軸がキャリッジケース４７の副走査方向左側端部に配置されており、これによって空きが発生した空間であるキャリッジケース４０７の副走査方向右側の領域に、第２のミラー４０２ｂ〜第５のミラー４０２ｅが配置されている。
【００３２】
ミラー４０２ａ〜４０２ｅのうち、第１のミラー４０２ａは、読取位置Ａから垂下した位置に配置され、第２のミラー４０２ｂは、第１のミラー４０２ａの略水平方向に配置され、第３のミラー４０２ｃは、第２のミラー４０２ｂの斜め下方に配置される。
【００３３】
また、第４のミラー４０２ｄは、第３のミラー４０２ｃの上方に配置され、第５のミラー４０２ｅは、第４のミラー４０２ｄの斜め下方に配置されている。このように、ミラー４０２ａ〜４０２ｅは、光路が一部で交差するように配置されている。このため、光路長を維持したまま小さなスペースにミラー４０２ａ〜４０２ｅを配置することができる。
【００３４】
読取位置Ａにおいて原稿４０６から反射した光は、これらのミラー４０２ａ〜４０２ｅによって順次反射されて、レンズ４０３を通って結像され、イメージセンサ４０４に受光される。
【００３５】
照明ユニット４０１ｂは、照明基板５０２上に複数のＬＥＤ等の点光源を主走査方向（図４の紙面を貫く方向）に間隔を空けて列状に実装したものから構成されている。照明基板５０２は、鉛直方向に延在する姿勢で配置されており、この照明基板５０２に実装された光源からは水平方向左側に向って放射状に光が照射される。照明ユニット４０１ｂは、キャリッジケース４０７の上面の副走査方向（図の左右方向）の略中央部に形成された凹部に埋設されている。
【００３６】
キャリッジケース４０７の上面の凹部には、導光部材として、照明ユニット４０１ｂからの光を内面反射させて読取位置Ａに導く逆台形形状の導光板６０１が設けられている。導光板６０１は、内部反射により光を読取位置Ａにまで導くものであり、照明ユニット４０１ｂに接する右側の鉛直面が光を入射する入射面となっており、左側の傾斜面が照明ユニット４０１ｂからの光を読取位置Ａ側に反射する反射面部となっており、上面が読取位置Ａに向けて光を射出する射出面となっている。
【００３７】
一方、照明ユニット４０１ａは、照明基板５０１上に複数のＬＥＤ等の光源を主走査方向に間隔を空けて列状に実装したものから構成されている。照明基板５０１は、水平方向に延在する姿勢で配置されており、この照明基板５０１に実装された光源からは鉛直上方に向って放射状に光が照射される。
【００３８】
照明ユニット４０１ａは、キャリッジケース４０７の左側面上部の外側に形成された支持部４０７ａに設けられている。これにより、照明ユニット４０１ａは、照明ユニット４０１ｂと略同一の高さであって、基板４０５の上方となる位置に配置される。
【００３９】
また、照明ユニット４０１ａおよび照明ユニット４０１ｂから読取位置Ａまでの距離に関しては、照明ユニット４０１ａが相対的に読取位置Ａに近い位置に配置され、照明ユニット４０１ｂが相対的に読取位置Ａから遠い位置に配置されている。
【００４０】
すなわち、本実施の形態では、照明ユニット４０１ａおよび照明ユニット４０１ｂは、読取位置Ａや読取光軸に対して副走査方向に対称に配置されてはおらず、非対称の配置となっている。更に、読取位置Ａの副走査方向の位置は、イメージセンサ４０４とレンズ４０３との間となっている。
【００４１】
これにより、読取位置Ａや第１のミラー４０２ａをキャリッジケース４０７の副走査方向の一端部側（左側）に配置することが可能となるため、従来の一体型走査光学ユニットのように読取位置Ａや第１のミラー４０２ａがキャリッジケース４０７の副走査方向の略中央部に配置されている構成と較べて、キャリッジケース４０７内の副走査方向の他端側（右側）において、ミラー４０２ｂ〜４０２ｅの配置を、光路が交差するよう集中配置する等、効率的に行うことが可能となっている。
【００４２】
すなわち、結像用のレンズ４０３を備えた一体型走査光学ユニット３０１においては、ユニット高さの低減のためにレンズ４０３の上方のスペースを減少させた場合、レンズ４０３の上方のスペースにおいて従来のように光路が左右に折り返すようにミラー４０２ａ〜４０２ｅを配置することが困難であるが、本実施の形態のように、読取位置Ａや第１のミラー４０２ａがキャリッジケース４０７の副走査方向の一端側に配置されるように構成することにより、ミラー４０２ｂ〜４０２ｅを、キャリッジケース４０７内の副走査方向の他端側に効率的に配置することができる。
【００４３】
なお、照明ユニット４０１ａと照明ユニット４０１ｂとの間で、照射光の照度が異なるようにしてもよい。例えば、照明ユニット４０１ａと照明ユニット４０１ｂとの間で、ＬＥＤ等の光源の個数を異ならせたり、出力の異なる光源を用いることにより、照射光の照度を異ならせることができる。
【００４４】
この場合、照明ユニット４０１ａと照明ユニット４０１ｂとの間で読取位置Ａまでの距離が異なっていても、読取位置Ａにおける照明ユニット４０１ａと照明ユニット４０１ｂとによる照度分布を均等にすることができる。
【００４５】
また、照明ユニット４０１ａが有機ＥＬ（Ｅｌｅｃｔｒｏ  Ｌｕｍｉｎｅｓｃｅｎｃｅ）パネル等の面発光の光源を有する構成とすることにより、照明ユニット４０１ａからの照射光が平行光となるので、効率良く読取位置Ａを照射することができる。
【００４６】
また、キャリッジケース４０７への照明ユニット４０１ａ、４０１ｂの固定方法としては、ねじによる締結、凹凸による係止、粘着テープによる粘着、接着材による接着等、種々の手法を用いることができる。照明ユニット４０１ａ、４０１ｂをキャリッジケース４０７に対して位置調整可能に固定するようにしてもよい。
【００４７】
また、本実施の形態では、一体型走査光学ユニット３０１は、２つの照明ユニット４０１ａ、４０１ｂを備えているが、更に多数の照明ユニットを備えるように構成してもよい。
【００４８】
以上のように、本実施の形態に係る一体型走査光学ユニット３０１は、イメージセンサ４０４が、原稿面に対して垂直方向に延在する姿勢で副走査方向一端側に配置された基板４０５に実装され、照明ユニット４０１ａ、４０１ｂのうち照明ユニット４０１ａを、基板４０５の略同一平面上方に配置し、原稿４０６を読み取る読取位置Ａに垂直な読取光軸を、副走査方向中央より一端側に寄せて配置し、読取光軸を挟んだ副走査方向の両側から照明ユニット４０１ａ、４０１ｂにより原稿４０６を照射することを特徴とする。
【００４９】
この構成により、従来はキャリッジケース４０７の副走査方向中央部に配置されていた読取位置Ａを副走査方向端部に配備することが可能となるため、ミラー４０２ｂ〜４０２ｅの配置を効率的に行うことができる。また、読取位置Ａを副走査方向端部に配備することにより生じた空間を利用してミラー４０２ｂ〜４０２ｅ等を配置することにより、キャリッジケース４０７のサイズを小型化することができる。
【００５０】
したがって、ミラー４０２ａ〜４０２ｅの配置を効率的に行えるとともに、サイズを小型化することができる。
【００５１】
また、本実施の形態に係る一体型走査光学ユニット３０１は、照明ユニット４０１ａ、４０１ｂが、読取光軸に対して副走査方向において非対称に配置されたことを特徴とする。
【００５２】
この構成により、読取光軸の位置を副走査方向中央より一端側に寄せて配置することができるので、ミラー４０２ｂ〜４０２ｅを効率良く配置することができる。
【００５３】
また、本実施の形態に係る一体型走査光学ユニット３０１は、照明ユニット４０１ａの照射方向が、鉛直上方であることを特徴とする。
【００５４】
この構成により、一体型走査光学ユニット３０１の幅が増大することを抑制することができる。
【００５５】
また、本実施の形態に係る一体型走査光学ユニット３０１は、照明ユニット４０１ａと照明ユニット４０１ｂとの間で、照射光を読取位置Ａに導く導光部材の有無が異なることを特徴とする。すなわち、照明ユニット４０１ａには導光部材が設けられていないのに対し、照明ユニット４０１ｂには導光部材として導光板６０１が設けられている。
【００５６】
この構成により、照明ユニット４０１ａと照明ユニット４０１ｂとの間で読取位置Ａまでの距離が異なっていても、読取位置Ａにおける照明ユニット４０１ａと照明ユニット４０１ｂとによる照度分布を均等にすることができる。
【００５７】
また、本実施の形態に係る一体型走査光学ユニット３０１は、照明ユニット４０１ａと照明ユニット４０１ｂとの間で、照射光の照度が異なることを特徴とする。
【００５８】
この構成により、照明ユニット４０１ａと照明ユニット４０１ｂとの間で読取位置Ａまでの距離が異なっていても、読取位置Ａにおける照明ユニット４０１ａと照明ユニット４０１ｂとよる照度分布を均等にすることができる。
【００５９】
また、本実施の形態に係る一体型走査光学ユニット３０１は、照明ユニット４０１ａが面発光の光源を有することを特徴とする。
【００６０】
この構成により、照明ユニット４０１ａからの照射光が平行光となるので、効率良く読取位置Ａを照射することができる。
【００６１】
また、本実施の形態に係る画像読取装置としての原稿搬送読取ユニット１０４は、上記の一体型走査光学ユニット３０１と、一体型走査光学ユニット３０１と原稿４０６とを副走査方向に相対的に移動する移動手段としてのＡＤＦ１０３と、を備えたことを特徴とする。
【００６２】
この構成により、一体型走査光学ユニット３０１を備えた原稿搬送読取ユニット１０４において、ミラー４０２ａ〜４０２ｅの配置を効率的に行えるとともに、サイズを小型化することができる。
【００６３】
また、本実施の形態に係る画像形成装置１００は、画像読取装置としての原稿搬送読取ユニット１０４と、原稿搬送読取ユニット１０４で読み取った画像情報に基づいて記録媒体上に画像を形成する画像形成手段としての画像形成部１０１と、を備えたことを特徴とする。
【００６４】
この構成により、一体型走査光学ユニット３０１が搭載された原稿搬送読取ユニット１０４を備えた画像形成装置１００において、ミラー４０２ａ〜４０２ｅの配置を効率的に行えるとともに、サイズを小型化することができる。
【００６５】
（第２の実施の形態）
第２の実施の形態について説明する。なお、第２の実施の形態は、照明ユニット４０１ａの取付け構造、照明ユニット４０１ａのための反射部を有する点、および照明ユニット４０１ｂの姿勢において第１の実施の形態と異なっており、第１の実施の形態と同様の構成については同一の符号を用いるとともに詳細な説明を省略する。
【００６６】
図５に示すように、本実施の形態の一体型走査光学ユニット３０１においては、イメージセンサ４０４が実装されている基板４０５の上端部に、照明ユニット４０１ａが実装されている。すなわち、イメージセンサ４０４および照明ユニット４０１ａは、同一の基板４０５上に設けられている。
【００６７】
このため、第１の実施の形態のキャリッジケース４０７の支持部４０７ａが不要となるため、部品点数の削減、加工工程の容易化を実現することができる。
【００６８】
また、本実施の形態においては、照明ユニット４０１ａの照射方向（右方向）に位置する箇所であるキャリッジケース４０７の一端側（左側端部）の上端に、導光部材として、照明ユニット４０１ａからの光を外面反射により読取位置Ａに導くための反射部４０７ｂを形成している。反射部４０７ｂは、照明ユニット４０１ａからの光を読取位置Ａに向けて反射するだけでなく集光させるために、湾曲形状となっている。
【００６９】
このため、照明ユニット４０１ａからの光を反射部４０７ｂで反射および集光させることで、照明ユニット４０１ａから読取位置Ａまでの光路長を増加させることができるとともに、読取位置Ａにおける光量の低下を防止することができる。
【００７０】
また、本実施の形態においては、照明ユニット４０１ｂの照明基板５０２は、水平方向に延在する姿勢で配置されている。
【００７１】
このため、照明ユニット４０１ｂがキャリッジケース４０７の内部で用いる空間の高さを低減することができるため、一体型走査光学ユニット３０１をより一層小型化することができる。
【００７２】
以上のように、本実施の形態に係る一体型走査光学ユニット３０１においては、照明ユニット４０１ａの照射方向が水平方向であり、キャリッジケース４０７における照明ユニット４０１ａの照射方向に位置する箇所に、照射光を読取位置Ａに反射させて導く湾曲形状の反射部４０７ｂを形成したことを特徴とする。
【００７３】
この構成により、照明ユニット４０１ａから読取位置Ａまでの照射光の距離を稼ぐことができる。
【００７４】
また、本実施の形態に係る一体型走査光学ユニット３０１は、照明ユニット４０１ａと照明ユニット４０１ｂとの間で、照射光を読取位置Ａに導く導光部材の種類が異なることを特徴とする。すなわち、照明ユニット４０１ａには導光部材として外面反射により照射光を読取位置Ａに導く湾曲形状の反射部４０７ｂが設けられているのに対し、照明ユニット４０１ｂには導光部材として内部反射により光を読取位置Ａにまで導く導光板６０１が設けられている。
【００７５】
この構成により、照明ユニット４０１ａと照明ユニット４０１ｂとの間で読取位置Ａまでの距離が異なっていても、読取位置Ａにおける照明ユニット４０１ａと照明ユニット４０１ｂとによる照度分布を均等にすることができる。
【００７６】
（第３の実施の形態）
第３の実施の形態について説明する。なお、第３の実施の形態は、照明ユニット４０１ａを傾斜配置した点において第２の実施の形態と異なっており、第２の実施の形態と同様の構成については同一の符号を用いるとともに詳細な説明を省略する。
【００７７】
図６に示すように、本実施の形態の一体型走査光学ユニット３０１においては、照明ユニット４０１ａの発光方向が読取位置Ａの方向と一致し、読取位置Ａを効率良く照射することができるよう、照明ユニット４０１ａを傾斜配置させている。すなわち、照明ユニット４０１ａの照射方向は、鉛直上方から所定角度だけ読取位置Ａ側に傾斜した方向となっている。
【００７８】
このため、読取位置Ａを効率良く照射することができるため、照明ユニット４０１ａの光量を最小限に設定することができる。
【００７９】
なお、照明ユニット４０１ａは、キャリッジケース４０７に形成された支持部４０７ａに対して、台座部材６１０を介して固定されている。台座部材６１０は、樹脂等により構成されており、支持部４０７ａに固定される水平な下面と、照明ユニット４０１ａに固定される傾斜した上面を有している。
【００８０】
また、台座部材６１０を塑性変形可能な材料から構成して上面の傾斜角度を調整したり、または、上面の傾斜角度の異なる複数の台座部材６１０を用意して交換することにより、照明ユニット４０１ａの傾斜角度を変更することができる。
【００８１】
以上のように、本実施の形態に係る一体型走査光学ユニット３０１においては、照明ユニット４０１ａの照射方向が、鉛直上方から所定角度だけ読取位置Ａ側に傾斜した方向であることを特徴とする。
【００８２】
この構成により、一体型走査光学ユニット３０１の幅が増大することを抑制することができる。
【符号の説明】
【００８３】
１００  画像形成装置
１０１  画像形成部（画像形成手段）
１０２  画像読取部
１０３  ＡＤＦ（移動手段）
１０４  原稿搬送読取ユニット（画像読取装置）
２０１  スキャナカバー部
２０２  スキャナフレーム部
２０３  コンタクトガラス
３０１  一体型走査光学ユニット
３０２  ガイドロッド（移動手段）
３０３  レール（移動手段）
４０１ａ、４０１ｂ  照明ユニット
４０２ａ〜４０２ｅ  ミラー
４０３  レンズ
４０４  イメージセンサ
４０５  基板
４０６  原稿
４０７  キャリッジケース
４０７ａ  支持部
４０７ｂ  反射部（導光部材）
４０８  板金
５０１、５０２  照明基板
６０１  導光板（導光部材）
６１０  台座部材
【先行技術文献】
【特許文献】
【００８４】
【特許文献１】特開２０１０−２２６７３３号公報
【図１】
2014103700.tif 000003
【図２】
2014103700.tif 000004
【図３】
2014103700.tif 000005
【図４】
2014103700.tif 000006
【図５】
2014103700.tif 000007
【図６】
2014103700.tif 000008